(57)【要約】電気エネルギを発生させるために設けられており、かつ、供給動作のために相互接続系統（１）に結合可能である発電設備（５）の単独運転を検出する方法が記載される。発電設備は、該発電設備（５）と相互接続系統（１）との間のエネルギ交換がなされないとき、相互接続系統（１）に対し単独運転で動作する。方法は、以下の工程、すなわち、発電設備（５）と相互接続系統（１）との接続領域に存在する電源周波数の時間的プロファイルを収集すること、および単独運転を検出するために電源周波数の時間的プロファイルを評価すること、を有する。電源周波数の時間的プロファイルの評価は、発電設備（５）と相互接続系統（１）との接続領域に存在する電源電圧の周波数の時間的プロファイルのノイズ成分の統計的特性の分析とを含む。単独運転の検出は、分析中に識別された統計的挙動特性に基づいてなされる。【選択図】      図２
2014526877.tif 000002
【特許請求の範囲】
【請求項１】
電気エネルギを発生させるために設けられており、かつ、供給動作で相互接続系統（１）に結合可能である複数の発電設備（５）の単独運転を検出する方法であって、前記発電設備（５）は、該発電設備（５）と前記相互接続系統（１）との間のエネルギ交換がなされないとき、前記相互接続系統（１）に対し単独運転で動作し、以下の工程、すなわち、
-前記発電設備（５）と前記相互接続系統（１）との接続領域に存在する電源電圧の周波数の時間的プロファイルを収集すること、
-単独運転を検出するために電源電圧の周波数の時間的プロファイルを評価すること、を有する方法において、
電源電圧の周波数の時間的プロファイルの評価は、電源電圧の周波数の時間的プロファイルのノイズ成分の統計的特性と、分析中に識別された統計的識別特性に基づく単独運転の検出とを含むことを特徴とする。
【請求項２】
電源電圧の周波数の時間的プロファイルの時間間隔を評価することを特徴とする請求項１に記載の方法。
【請求項３】
電源電圧の周波数の収集された時間的プロファイルのノイズ成分の、周波数の上方に離散的に記録された個々の信号値の、その頻度分布を決定すること、かつ、かくして決定された頻度分布が、所定の頻度分布の周囲の許容範囲内にない場合に、単独運転を検出することを特徴とする請求項１または２に記載の方法。
【請求項４】
前記所定の頻度分布はガウス頻度分布であることを特徴とする請求項３に記載の方法。
【請求項５】
前記発電設備（５）と前記相互接続系統（１）との接続点における電源電圧の周波数の変化を収集すること、および前記電源電圧の周波数のこの変化を評価することを特徴とする請求項１ないし４のいずれか１項に記載の方法。
【請求項６】
前記相互接続系統（１）への移行箇所で前記発電設備（５）と結合されているシミュレートされた同期機（８）の、その仮想の有効電力のプロファイを時間離散的に収集すること、および、仮想の有効電力（ＰＶ）の時間離散的な測定値の量を、電源電圧の周波数の時間的プロファイルの尺度として評価することを特徴とする請求項１ないし５のいずれか１項に記載の方法。
【請求項７】
単独運転が検出された場合には、該発電設備（５）を前記相互接続系統（１）から分離することを特徴とする請求項１ないし６のいずれか１項に記載の方法。
【請求項８】
電気エネルギを発生させるために設けられており、かつ、供給動作で相互接続系統（１）に結合可能である複数の発電設備（５）の単独運転を検出するための装置（６）であって、前記発電設備（５）は、前記相互接続系統（１）に対し単独運転で動作し、該発電設備（５）と前記相互接続系統（１）との間のエネルギ交換がなされず、前記装置は、前記発電設備（５）と前記相互接続系統（１）との接続領域に接続可能であり、かつ電源電圧の周波数の時間的プロファイルを収集するための周波数測定ユニットと、該周波数測定ユニットに接続されている評価ユニット（１３）と、を有してなる装置において、
前記評価ユニット（１３）は、電源電圧の周波数の時間的プロファイルのノイズ成分の統計的特性を分析するために、および、分析中に識別された統計的識別特性に基づいて単独運転を検出するために設けられていることを特徴とする装置。
【請求項９】
前記装置は、前記評価ユニット（１３）および前記シーケンス制御装置（１１）によって起動可能な少なくとも１つの分離装置（４）を有し、かつ、以下のように、すなわち、該分離装置（４）が、単独運動の検出の際に、前記評価ユニット（１３）からの切換信号を用いて、前記評価ユニット（１３）によって、前記発電設備（５）を前記相互接続系統（１）から分離することを特徴とする請求項８に記載の装置。
【請求項１０】
前記評価ユニット（１３）は、請求項２ないし６の特徴を有する方法を実行するために、設けられていることを特徴とする請求項８または９に記載の装置。
【発明の詳細な説明】
【技術分野】
【０００１】
本発明は、電気エネルギを発生させるために設けられており、かつ、供給動作で相互接続系統に結合可能である発電設備の単独運転を検出する方法であって、発電設備は、相互接続系統に対し単独運転で動作し、発電設備と相互接続系統との間のエネルギ交換がなされず、相互接続系統に対し単独運転で動作し、以下の工程、すなわち、
-発電設備と相互接続系統との接続領域に存在する電源電圧の周波数（電源周波数）の時間的プロファイルを収集すること、
-単独運転を検出するために電源電圧の周波数の時間的プロファイルを評価すること、を有する方法に関する。
【０００２】
本発明は、更に、電気エネルギを発生させるために設けられており、かつ、供給動作で相互接続系統に結合可能である発電設備の単独運転を検出するための装置に関し、発電設備は、相互接続系統に対し単独運転で動作し、該発電設備と相互接続系統との間のエネルギ交換はなされない。装置は、発電設備と相互接続系統との接続領域に接続可能であり、かつ電源周波数の時間的プロファイルを収集するための周波数測定ユニットと、該周波数測定ユニットに接続されている評価ユニットとを有する。
【背景技術】
【０００３】
分散型の発電設備、例えば、風力発電設備または太陽光発電設による、電気エネルギの、相互接続系統への分散型供給の場合には、相互接続系統の操作員は、許容可能な電圧制限および周波数制限を維持することを保証しなければならない。相互接続系統の安全な動作を保証するためには、遮断の基準が、単独運転の識別のための電圧測定、周波数測定およびインピーダンス測定に基づいて、定義される。この場合、自家発電設備の望ましくない単独運転の識別が問題である。
【０００４】
意図されない単独運転を識別するための知られた解決策は、受動的方式と能動的方式とに分類される。受動的方式では、電源電圧を、時間的表示または空間スペクトルに関する表示における電源電圧および突然の変化における電源電圧を監視することが可能である。当該のインバータの影響下にある、電源電圧の高調波成分も観察することができる。能動的方式では、試験のために、エネルギを電源系統に伝送する。このことによって、電源インピーダンスの決定が可能となる。電源インピーダンスは、相互接続系統との電気的接続の状態への推論を可能にする。電源電圧シフトおよび電源周波数シフトの能動的方式では、上記電源パラメータが電源供給用インバータの作用によってどの程度影響されるかが、決定される。能動的方式のカテゴリには、パイロットトーン方式も含まれる。該パイロットトーン方式は、高周波信号の、中央電力系統接続点への印加を有する。高周波信号を、自家発電設備によって、電力系統への既存の接続のための証拠として収集される。
【０００５】
受動的および能動的方式のほかに、更に、通信システムおよび情報システムに基づく方法も、別個に処理される。
【０００６】
非特許文献１は、利点および欠点を有する自家発電設備における分散型電源を識別するための測定法を記載する。この場合、電源インピーダンス、三相の電圧監視、電圧シフト法および周波数シフト法およびパイロットトーン方式を識別するための公知の方法が記載される。
【０００７】
非特許文献２は、電圧測定、周波数測定、周波数の、ベクトル偏移の、電圧変動の、電圧の変化率の、および力率の変化の測定によって、分散型電源を識別するための受動的方式を記載する。すなわち、受動的方式として、例えば、電力系統の２つの位置における周波数の変化率の比較が記載される。
【０００８】
非特許文献３は、３つのパラメータ、すなわち、電圧の変化、周波数の変化率および有効電力の変化率の準論理分析によって自家発電設備の単独運転を識別するための方法を、開示する。
【０００９】
非特許文献４は、分布された自家発電設備の発振周波数および減衰率を、分散型電源を識別するための２つのパラメータとして使用することを提案する。
【００１０】
非特許文献５は、当該のパラメータ、特にパワースペクトルの変化を監視するためにウェーブレット変換を用いて分散型電源を識別することを提案する。
【００１１】
自家発電設備のための分散型電源運転を識別するための重要な公知の方法は、非特許文献６にまとめられている。
【００１２】
能動的方式における試験のための電気エネルギの注入は、このことによって電源電圧の品質が悪影響を受けることがあるという欠点を有する。通信システムおよび情報システムに基づいた解決策は、比較的大きな技術的および財政的なコストを必要とする。知られた受動的方式は、限定的にのみ信頼性がある。何故ならば、電源電圧および電源周波数の決定された経時変化から、相互接続系統との電気的接続の状態を十分に正確に決定するという困難さがあるからである。１つの問題は、適当な限界値の決定が均等になされることができないことである。受動的方式の中心である突然の変化を評価することによって、単独運転の存在に関して信頼することができる結論を出すことができない。
【先行技術文献】
【非特許文献】
【００１３】
【非特許文献１】E.Handschin, E.Hauptmeier, W.Horenkamp, S.Malcher:”Inselnetzerkennung bei Eigenerzeugungsanlagen”, ETZ Heft 12/2004, pp.48 to 50
【非特許文献２】N.Strath:”Island Detection in Power Systems”,in”Licentiate Thesis, Lund University, Department of Industrial Engineering and Automation, 2005
【非特許文献３】E.Rosolowski, A.Burek, L.Jedut:”A new method for islanding detection and distrubted generation”, Wroclaw University of Technology, Poland,Eleco’s 2007 5th International Conference of Electrical and Electronics Engineering
【非特許文献４】H.H.Zeineldin, T. Abdel-Galil, E.F.El-Saadany, M.M.A.Salama: ”Islanding detection of grid connected distributed generators using TLS-ESPRIT”, Electric Power Systems Research 77(2007), pp.155-162
【非特許文献５】T.Pujhari:” Islanding detection in distrubted generation”, Department of Electrical Engineering, National Institute of Technology, Rourkela, May 2009
【非特許文献６】W.Bower, M.Ropp:”Evaluation of islanding detection methods for photovoltaic-utility interactive power systems, IEA PVPS International Energy Agency Implementing Agreement on Photovoltaic Power Systems, Task V Grid interconnection of Building Integrated and other Dispersed Photovoltaic Power Systems, Report IEA PVPS T5-02;2002, May 2002
【発明の概要】
【００１４】
このことを前提として、発電設備の単独運転をできる限り容易にかつ信頼性をもって識別することができるように、発電設備の単独運転を検出するための改善された方法および対応の装置を提供することが、本発明の課題である。
【００１５】
上記課題は、請求項１の特徴を有する方法、および請求項８の特徴を有する装置によって解決される。
【００１６】
電源周波数の時間的プロファイルのノズル信号の統計的挙動の分析により電源周波数の時間的プロファイルを評価することによって、および、分析中に識別された統計的挙動に基づいて単独運転を検出することによって、発電設備の単独運転の簡単なかつ信頼性のある検出が成功する。
【００１７】
従来、単独運転を検出するために、電源周波数の時間的プロファイルの特性の分析のみが行なわれることができるが、本方法は、時間離散的に記録された個々の数値の形態で収集される電源周波数の時間的プロファイルの統計的特性の分析を意図する。相互接続系統の存在が、電源周波数の時間的プロファイルから、および、好ましくは、電源周波数の個々の値から切り離される統計的特性によって特徴づけられている。
【００１８】
つまりは、相互接続系統では、短い時間間隔でも、非常に多数の負荷が接続または分離される。このことによって引き起こされた相互接続系統における、負荷に依る周波数変化は、各々の負荷に割り当てられることができる分析可能な減少または増加の形態では、最早表われず、周波数ノイズ、ノイズ現象自体の形では、本方法において使用される統計的な規則に従っている。
【００１９】
このことによって、簡単で信頼性のある方法で、単独運転を検出することが可能となる。
【００２０】
評価が、電源周波数の時間的プロファイルの時間間隔で、例えば５秒のサイクルでなされることは好ましい。
【００２１】
電源周波数の収集された時間的プロファイルのノイズ成分の個々の信号値の、周波数の上方に描かれた統計的な頻度分布を決定すること、および、決定された統計的な頻度分布のプロファイルの一部分が、ガウス正規分布のプロファイルの周囲の所定の領域の外にはっきりと見出される場合に、単独運転を検出することは、好ましい。
【００２２】
ノイズの、信号の個々の値の、その頻度分布は、相互接続系統との接続が存在する場合に検出可能な統計的特性を有する。相互接続系統との接続が存在する場合には、測定された電源周波数のノズル成分の離散的に記録された値の頻度分布は、特性パラメータおよび特徴的形態を有するガウス頻度分布または正規分布に従ったプロファイルを有する。従って、自家発電設備と相互接続系統との接続は、電圧の測定された周波数変化のガウス頻度分布または正規分布が、自家発電設備の接続点で、識別可能なほどに決定されるとき、存在する。しかし、相互接続系統への接続が存在しないときは、電圧の、必要な場合には他の方法で引き起こされる周波数変化は、接続点において、前記統計的特性を示さない。それ故に、そのとき、単独運転を推論することができる。
【００２３】
発電設備と相互接続系統との接続点における電圧の周波数変化を収集すること、およびこの周波数変化を電源周波数の時間的プロファイルとして評価することは好ましい。
【００２４】
相互接続系統への移行箇所で発電設備と結合されているシミュレートされた同期機の、その仮想の有効電力のプロファイを収集することは、特に好ましい。この場合、仮想の有効電力を、電源周波数の時間的プロファイルの尺度として評価する。
【００２５】
このことは、電源周波数の時間的プロファイルを電子的に測定する必要はなく、電源周波数または仮想の有効電力の時間的プロファイのノイズ成分の統計的挙動を使用するために、データ処理システムによってシミュレートされた同期機の、データストリームとして存在する仮想の有効電力を使用することができるという、利点を有する。データ処理システムに設けられたシミュレートされた同期機が、計算のために、無限に大きい質量慣性モーメントを有するロータを備えるとき、シミュレートされた同期機の仮想の有効電力は、直接的に、電源周波数のあらゆる変化に従う。このことは、電源電圧の周波数の時間的プロファイルのノイズ成分が、シミュレートされた同期機の仮想の有効電圧に伝達されることを意味する。このことによって、周波数変数の変化従ってまた交流変数の変化を、直流量（Gleichgroesse）の、より良く収集可能な変化として再現することが可能となる。方法は、無限に大きい質量慣性モーメントを有するシミュレートされた同期機を、従って、特に適切な周波数復調器として使用する。
【００２６】
単独運転が検出された場合に発電設備を相互接続系統から分離することは、特に有利である。かくして、分散型の発電設備への給電点における相互接続系統の、自動的な、コンピュータ制御の安全防護対策が、比較的少ない労力で可能である。
【００２７】
この目的のために、装置は、電源スイッチ（一相または多相）を有する。この電源ユニットは、評価ユニットによって単独運転が識別されたとき、電源スイッチを、発電設備の、相互接続系統からの分離へ切り換えるために、制御信号を用いて評価ユニットによって起動される。
【００２８】
単独運転を検出するための装置の評価ユニットが、方法を実施するために適切なプログラムされたプロセッサ（マイクロプロセッサ、マイクロコントローラ、ＦＰＧＡ、ＡＳＩＣ等）であることは好ましい。
【００２９】
以下、本発明の実施の形態を、添付した図面を用いて、詳述する。
【図面の簡単な説明】
【００３０】
【図１】単独運転を検出するための装置および電源分離装置を有する電気的な相互接続系統への、自家発電設備の接続のブロック図を示す。
【図２】自家発電設備の単独運転を検出するための装置のブロック回路図を示す。
【発明を実施するための形態】
【００３１】
図１は、相互接続系統１の略図を示す。該相互接続系統には、多数の発電装置２ａ，２ｂ，２ｃ，２ｄが、発電装置群２および負荷群３と呼ぶ多数の負荷３ａ，３ｂ，３ｃ，３ｄとして、接続されている。
【００３２】
電源スイッチの形態をとる分離装置４によって、（分散型の）自家発電設備５が、相互接続系統１に接続されている。このような自家発電設備は、例えば、風力発電設備、太陽光発電設備等であってもよい。
【００３３】
自家発電設備５の単独運転を検出するための装置６が、自家発電設備５によって、好ましくは、自家発電設備の、相互接続系統１への給電点に、接続されている。前記装置は、制御信号Ｓにより分離装置４を起動するために分離装置に接続されている。かくして、分離装置４を、制御信号Ｓによって切り換え、かつ、自家発電設備５を相互接続系統１から分離することができるのは、装置が、自家発電設備５の単独運転を検出するときである。
【００３４】
自家発電設備５の単独運転の検出は、相互接続系統１における電源周波数の可変性の使用に基づいている。電源周波数のこの可変性は、発電装置群２および負荷群３によって引き起こされる。相互接続系統１の発電装置群２を、その設定値の範囲に電源周波数を維持するために、概略のように、周波数制御により動作させる。個々の発電所ユニット（発電装置２ａ，２ｂ，２ｃ，２ｄ）による電源周波数の比例制御は、基本的には、残っている制御誤差をもたらす。それ故に、大抵の場合には、正確な設定値を調整することができない。しかしながら、系統で動作中の発電所ユニット（発電装置２ａ，２ｂ，２ｃ，２ｄ）の数または選択された比例因子のレベルと共に、制御誤差の大きさが減少する。
【００３５】
相互接続系統１における周波数偏移は、系統ユニットに取り付けられた負荷群３の大きな全体の挙動によって、決定される。各々の個別負荷３ａ，３ｂ，３ｃ，３ｄの接続は、この時点で相互接続系統１がこの時点で定常であり、かつ、他の操作手段の起動が記録されないときは、常に、周波数の、極小さいが負荷に比例する低下をもたらす。相互接続系統１では、短い時間間隔でも、非常に多数の負荷が接続または分離されるので、相互接続系統１における、負荷に依る周波数変化は、各々の負荷３ａ，３ｂ，３ｃ，３ｄに割り当てられることができる分析可能な減少または増加の形態では、最早表われず、周波数ノイズ、ノイズ現象自体の形では、単独運転を検出する方法および対応の装置において使用される統計的な規則に従っている。この場合に、このことは、電源電圧の周波数のノイズ成分の個々の信号値の統計的分布である。周波数のプロッティングは、特性パラメータおよび特徴的形態を有するガウス頻度分布または正規分布を再現する。ガウス頻度分布または正規分布は、周波数ノイズのような確率変数の分布を記述する。この分布において、確率密度のグラフ表示は、釣鐘型の曲線（正規分布曲線ともいう）を有する。正規分布曲線は、対称的であり、かつ、平均値の左右で、同じ大きさの面積割合を有する。測定された個々の値の大部分は、自らの頻度で、正規分布曲線の中央領域を記述する。
【００３６】
ノイズの技術的評価のために更に重要であるのは、記録された信号の振幅ノイズではなく、周波数ノイズを、自家発電設備５の、相互接続系統１への接点で、更なる処理のために使用することである。このことが、振幅の変化に対する不感度の基礎になっている。単独運転を検出するための方法の同様な不感度が、電源周波数の変化に関して、典型的な日内周期の時間尺度にあるのは、電源周波数の時間的プロファイルの相応に小さい時間間隔が評価されるときである。
【００３７】
単独運転を検出するための装置６は、電源周波数の時間的プロファイルのノイズ成分の統計的特性を分析することによって、電源周波数の時間的プロファイルを評価するように、かつ、分析中に識別された統計的特性を検出するように、設けられている。このことを、記載された好ましい実施の形態において行なうことができるのは、不慮の単独運転を回避するための、自家発電設備５の分離に関する規則に従って、ガウス頻度分布または正規分布が、常に、５秒のサイクルで、これらの期間に分散的に測定された、電圧の周波数変化の、その量から、自家発電設備５の、相互接続系統１との接続点で、識別可能なほどに決定されるときに、相互接続系統１の運転があり、すなわち、単独運転がないことによって、である。しかし、相互接続系統１への接続がないときは、電圧の、必要な場合には他の方法で引き起こされる周波数変化は、接続点において、前記統計的特性、従ってまた、ガウス頻度分布または正規分布のプロファイル形状とは著しく異なる、頻度分布の形態を示さない。自家発電設備５の分離装置４は、装置６による単独運転の検出の結果として、作動される。
【００３８】
図２は、単独運転を検出するための装置６のブロック図を示す。この装置は、単独運転が検出された後に、制御信号Ｓによって、自家発電設備５と相互接続系統１の間で分離装置４を起動する。この目的のために、自家発電設備５と相互接続系統１の間には、不慮の単独運転の場合に自家発電設備５を分離にするための電源スイッチの形態をとる分離装置４が設けられている。
【００３９】
電源周波数の時間的プロファイルを検出するために、電位を分離する電源電圧変換器７が、自家発電設備５から相互接続系統の方向に見て、分離装置４の下流で、相互接続系統に接続されている。電位分離のためのこの電源スイッチ７は、単独運転を検出するための装置６に、自らの接続点で記録される三相電源電圧の電圧-時間プロファイルをもたらす。この装置６は、データ処理ユニットとして形成されており、電源周波数の時間的プロファイルを評価するための、かつ単独運転を検出するための適切なプログラミングによって構成されていることは好ましい。しかし、この装置６が、適切に特定化された信号処理ユニットから形成されていることも考えられる。
【００４０】
装置６には、後述するアルゴリズムコンポーネントが実現されている。
【００４１】
記録された電源周波数信号は、例えばDE 10 2006 047 792 A1に記載されている仮想の同期機８の、計算モデルに供給される。仮想の同期機８の仮想の質量慣性モーメントを、切換装置９を介して、機械マシンの定格値Ｊ＝ＪＮと、無限に大きい質量慣性モーメントＪ＝→∞との間で変更することができる。仮想の同期機８の出力端には、ゲート１０へ導かれる仮想の有効電力ＰＶが存在する。シーケンス制御装置１１を介して起動されるゲート１０の出力端は、測定値メモリ１２に接続されている。測定値メモリは、同様に、シーケンス制御装置１１によって起動される。測定値メモリ１２には、電源周波数の時間的プロファイルに比例している仮想の有効電力ＰＶの記録された時間的プロファイルを統計的に評価するための評価ユニット１３が、後置かつ設置（eingerichtet）されており、かつ、同様に、シーケンス制御装置１１によって起動される。評価ユニット１３には、パターンマッチング機能ソフト１４が後置されており、パターンマッチング機能ソフトから出力は、シーケンス制御装置１１に供給される。
【００４２】
シーケンス制御装置１１は、５秒の各々の測定時間の開始前に、あるいはゲート１０が予め閉鎖されている際に、測定値メモリ１２の情報を消去し、他方、仮想の同期機８の仮想の質量慣性モーメントは、切換装置９により、値Ｊ＝ＪＮに設定される。その目的は、仮想の同期機８の仮想のロータを解除するためである。測定間隔は、ゲート１０の開放と共に、および、仮想の質量慣性モーメントの、値Ｊ＝→∞への変換と共に、始まる。自家発電設備５を分離するための準則に記述された５秒の期間内で、仮想の同期機８の仮想の有効電力ＰＶの、時間離散的に算出された値が、測定値メモリ１２に記録される。この位相では、電源周波数の、どの非常に小さい変化も、仮想の同期機８のモデルにおける負荷角（Polarradwinkel）の発生をもたらす。何故ならば、同期機８の回転数は、無限に大きい仮想の質量Ｊの故に、変化しないからである。各々の測定位相過程の後に、まず、ゲート１０を閉鎖し、仮想の質量慣性モーメントＪを定格値Ｊ＝ＪＮにリセットする。頻度分布は、評価ユニット１３における統計的関数に基づき、仮想の有効電力ＰＶの、測定値メモリ１２に記録された離散値から、すなわち、仮想の有効電力ＰＶの基礎値から、直接に決定される。相互接続系統１との電気的接続が存在するとき、頻度分布のプロファイルは、ガウス頻度分布または正規分布のプロファイルに対応する。パターンマッチング機能ソフト１４によって、決定された頻度分布のプロファイル形状を、許容可能な偏差を考慮して、および切換増幅器１５を介して分離装置４を作動させるための切換コマンドの形成によって、変化させる。その目的は、仮想の有効電力ＰＶの離散的値の決定された頻度分布のプロファイル形状が、典型的なガウス頻度分布または正規分布と著しく異なる場合に、相互接続系統１からの自家発電設備５の分離を実行するためである。仮想の有効電力ＰＶの離散的値の決定された頻度分布のプロファイル形状を、ガウス頻度分布または正規分布の典型的な（蓄積された）ファイル形状と比較した後に、シーケンス制御装置１１は、新たな測定サイクルを開始する。単独運転に関する系統の継続的な監視のために、任意の数の測定サイクルを、連続的に中断なしに実行する。
【符号の説明】
【００４３】
１  相互接続系統
４  分離装置
５  自家発電設備
８  同期機
１１  シーケンス制御装置
１３  評価ユニット
【図１】
2014526877.tif 000003
【図２】
2014526877.tif 000004
【国際調査報告】
2014526877.tif 000005
2014526877.tif 000006
2014526877.tif 000007
2014526877.tif 000008
2014526877.tif 000009
2014526877.tif 000010